(57)【特許請求の範囲】
【請求項１】
複数のターミナルと，各ターミナルにデータ通信可能に接続された上位機と，上位機から送信されて来た棚ラベル表示データを受信可能かつ受信した棚ラベル表示データを棚ラベルへ表示可能な棚ラベル表示ユニットとを具備する商品販売データ処理システムにおいて、
前記上位機に、商品データごとに対応された棚ラベル表示データを記憶する棚ラベル表示データ記憶手段と，前記棚ラベル表示ユニット側から問合送信されて来た特定商品データを受信する問合受信制御手段と，棚ラベル表示データ記憶手段を検索して問合受信した特定商品データに対応する棚ラベル表示データを抽出する抽出制御手段と，抽出された棚ラベル表示データを当該特定商品データの問合送信元である棚ラベル表示ユニットへ応答送信する応答送信制御手段とを設け、
前記棚ラベル表示ユニット側に、陳列棚の陳列商品に付されたコードから当該商品の商品データを読取る商品データ読取手段と，読取った商品データを前記上位機側へ問合送信する問合送信制御手段と，商品データの問合送信に応えて前記上位機側から応答受信した棚ラベル表示データを記憶する応答棚ラベル表示データ記憶手段と，この応答棚ラベル表示データ記憶手段に記憶されている応答棚ラベル表示データを当該棚ラベルに表示する読取商品用棚ラベル表示制御手段とを設け、
前記応答棚ラベル表示データ記憶手段が複数の応答棚ラベル表示データを記憶可能に形成され、前記読取商品用棚ラベル表示制御手段が前記応答棚ラベル表示データ記憶手段に記憶されている複数の応答棚ラベル表示データを当該棚ラベルに一覧表示可能に形成され、
前記上位機が前記棚ラベル表示ユニットに前記棚ラベル表示データ以外の店舗情報も送信可能に形成されかつ前記棚ラベル表示ユニットが上位機から受信した店舗情報を応答棚ラベル表示データと干渉することなく当該棚ラベルに表示可能に形成され、
前記スキャナが当該ターミナルに着脱可能とされ、かつ前記商品データ読取手段が当該棚ラベル表示ユニットに着脱可能な該スキャナから形成されていることを特徴とする商品販売データ処理システム。
【請求項２】
前記読取商品用棚ラベル表示制御手段が前記棚ラベルに一覧表示された複数の応答棚ラベル表示データをスクロール表示可能に形成されている請求項１記載の商品販売データ処理システム。
【発明の詳細な説明】
【０００１】
【発明の属する技術分野】
本発明は、複数のターミナルと，各ターミナルにデータ通信可能に接続された上位機と，上位機から送信されて来た棚ラベル表示データを受信可能かつ受信した棚ラベル表示データを棚ラベルへ表示可能な棚ラベル表示ユニットとを具備する商品販売データ処理システムに関する。
【０００２】
【従来の技術】
商品販売データ処理装置の一形態に、複数のターミナル（例えば、電子キャッシュレジスタ）と各ターミナルの一括管理機能を有する上位機（例えば、ストアコントローラー）とをデータ通信回線を介してデータ通信可能に接続したものがある。
【０００３】
各ターミナルでは、スキャナを用いて顧客購入商品に付されたコードから商品コードを読取り、上位機へ問合せる。上位機は、商品ファイルを検索して当該商品コードに対応する商品データ（商品名，価格等）を当該ターミナルに応答する。ターミナルは、応答された商品データを用いて商品登録する。登録商品データは表示器に表示される。
【０００４】
顧客購入商品のすべてについて商品登録が終了したら、締め操作をする。これにより、合計金額等の算出を含む会計処理が実行される。会計処理データも表示器に表示される。しかる後に、ドロワが自動開放されかつレシートが発行される。
【０００５】
ところで、顧客は陳列棚において購入商品の価格を確認している。この価格確認便宜のために、陳列棚に当該商品価格を表示する棚ラベル表示装置が設けられている場合がある。従来の棚ラベル表示装置は、価格入力手段と入力された価格を棚ラベルに表示する棚ラベル表示制御手段から構成されているので、陳列棚において陳列された商品の価格をその場で手入力する必要がある。したがって、価格変更の度に価格変更手入力をしなければならないので、非常に手間と時間が掛かる。
【０００６】
そこで、商品販売データ処理装置と棚ラベル表示ユニットとを含み、上記した商品ファイルに設定記憶された商品価格等を棚ラベル表示ユニットの一部を構成する棚ラベルに直接的に表示可能に形成された商品販売データ処理システムが提案されている。
【０００７】
すなわち、複数のターミナルと，各ターミナルにデータ通信可能に接続された上位機と，上位機から送信されて来た棚ラベル表示データを受信可能かつ受信した棚ラベル表示データを棚ラベルへ表示可能な棚ラベル表示ユニットとを具備する商品販売データ処理システムでは、商品登録のための商品ファイルに設定記憶された商品データを利用して直接または間接的に棚ラベル表示データ（商品価格等）を作成し各棚ラベル表示ユニットに送信する。各棚ラベル表示データは、例えば送信周波数を変えることにより、当該周波数に対応する各棚ラベル表示ユニットへの専用データとして送信される。
【０００８】
なお、送信方式は、無線・有線を問わず、かつ電波・電気信号・光等の送信媒介も任意に選択される。いずれにしても、当該各商品に対応する各棚ラベル表示データと各棚ラベルとの対応性は、基本的に、１：１の関係に設定される。
【０００９】
各棚ラベル表示ユニットは、受信回路を含む制御部と棚ラベルとから形成されている。棚ラベルは、枠体に組込まれたＥＬ，ＬＥＤ等の電子表示器から形成され、受信した棚ラベル表示データを目読可能に表示する。
【００１０】
したがって、上位機側で棚ラベル表示データを作成しあるいは変更作成して棚ラベル表示ユニットへ送信すれば、陳列棚に設けられた棚ラベル表示ユニット内の棚ラベルへ最新の商品価格を即時的かつ正確に表示することができる。
【００１１】
棚ラベル表示データは、実質的には上位機の一部を構成する棚ラベル表示コントローラーで直接作成可能に形成される場合もある。上位機の負荷軽減等のためである。
【００１２】
【発明が解決しようとする課題】
ところで、店舗では、販売促進上、つまり販売時期やバーゲンセール等々の事由により、各陳列棚に陳列する商品を変更（位置変えや模様替え）する場合が増大している。かくして、各棚ラベルと、これら各棚ラベルに表示すべき棚ラベル表示データ（商品名，価格等）との対応性をその都度に変更調整する必要がある。
【００１３】
この点に関して、棚ラベル自体を陳列棚に着脱自在に構成しておき、当該商品を陳列する新たな陳列棚に当該棚ラベルを取付けることが考えられるが、棚ラベルの数が多いと取替え作業に膨大な手間と時間が掛かるので、実用性に欠ける。また、配線ミス等も生じ易い。特に、開店中に実行することが難しい。
【００１４】
したがって、上位機側において、各棚ラベル表示データごとの当該各棚ラベル位置情報の設定変更（対応性調整）作業を行っているのが実情である。この設定変更作業はデータ取扱上煩雑でかつ陳列棚と離れた場所で行う必要があるから、設定ミスが生じ易い。設定ミスは顧客信用を失墜する。とりわけ、価格が時間経過とともに値下げされる商品（例えば、総菜）の場合には、必要時までに新たな価格を棚ラベルに切換更新表示できない事態が発生し易い。
【００１５】
本発明の目的は、陳列された商品に対応する棚ラベル表示データと当該棚ラベルとの対応性を正確かつ迅速に行えかつ作業簡単な棚ラベル表示ユニットを具備する商品販売データ処理システムを提供することにある。
【００１６】
【課題を解決するための手段】
請求項１の発明は、複数のターミナルと，各ターミナルにデータ通信可能に接続された上位機と，上位機から送信されて来た棚ラベル表示データを受信可能かつ受信した棚ラベル表示データを棚ラベルへ表示可能な棚ラベル表示ユニットとを具備する商品販売データ処理システムにおいて、前記上位機に、商品データごとに対応された棚ラベル表示データを記憶する棚ラベル表示データ記憶手段と，前記棚ラベル表示ユニット側から問合送信されて来た特定商品データを受信する問合受信制御手段と，棚ラベル表示データ記憶手段を検索して問合受信した特定商品データに対応する棚ラベル表示データを抽出する抽出制御手段と，抽出された棚ラベル表示データを当該特定商品データの問合送信元である棚ラベル表示ユニットへ応答送信する応答送信制御手段とを設け、前記棚ラベル表示ユニット側に、陳列棚の陳列商品に付されたコードから当該商品の商品データを読取る商品データ読取手段と，読取った商品データを前記上位機側へ問合送信する問合送信制御手段と，商品データの問合送信に応えて前記上位機側から応答受信した棚ラベル表示データを記憶する応答棚ラベル表示データ記憶手段と，この応答棚ラベル表示データ記憶手段に記憶されている応答棚ラベル表示データを当該棚ラベルに表示する読取商品用棚ラベル表示制御手段とを設け、前記応答棚ラベル表示データ記憶手段が複数の応答棚ラベル表示データを記憶可能に形成され、前記読取商品用棚ラベル表示制御手段が前記応答棚ラベル表示データ記憶手段に記憶されている複数の応答棚ラベル表示データを当該棚ラベルに一覧表示可能に形成され、前記上位機が前記棚ラベル表示ユニットに前記棚ラベル表示データ以外の店舗情報も送信可能に形成されかつ前記棚ラベル表示ユニットが上位機から受信した店舗情報を応答棚ラベル表示データと干渉することなく当該棚ラベルに表示可能に形成され、前記スキャナが当該ターミナルに着脱可能とされ、かつ前記商品データ読取手段が当該棚ラベル表示ユニットに着脱可能な該スキャナから形成されていることを特徴とする商品販売データ処理システムである。
【００１７】
かかる発明では、陳列棚において、陳列された商品を特定する。つまり商品データ読取手段を用いて、当該商品に付されたコード（バーコードや二次元コード等）から商品データ（例えば、商品コード）を読取る。すると、当該棚ラベル表示ユニットの問合送信制御手段が、読取られた商品データを特定商品データとして上位機へ問合送信する。
【００１８】
上位機側では、問合受信制御手段が棚ラベル表示ユニット側から問合送信されて来た商品データ（特定商品データ）を受信すると、抽出制御手段が、棚ラベル表示データ記憶手段を検索しそれに記憶された棚ラベル表示データの中から、問合受信した特定商品データに対応する棚ラベル表示データを抽出する。抽出された棚ラベル表示データは、応答送信制御手段によって、問合元である棚ラベル表示ユニットへ応答送信される。
【００１９】
当該棚ラベル表示ユニットでは、上位機から応答受信した応答棚ラベル表示データを応答棚ラベル表示データ記憶手段に記憶する。読取商品用棚ラベル表示制御手段が、記憶された応答棚ラベル表示データを当該棚ラベルに表示する。
【００２０】
したがって、陳列商品に対応する棚ラベル表示データと当該棚ラベルとの対応性を正確かつ迅速に行えかつ陳列棚において陳列商品から商品データ読取手段（例えば、スキャナ）を用いて当該商品データを読取るだけでよいから作業が極めて簡単である。
【００２１】
【００２２】
また、読取商品用棚ラベル表示制御手段は、応答棚ラベル表示データ記憶手段に記憶されている複数の応答棚ラベル表示データを当該棚ラベルに一覧表示することができる。すなわち、陳列棚に陳列される複数商品は同種商品（例えば、野菜）とされる場合がほとんどであるから、複数の当該商品データを例えばグループ化しておき、その内の１の商品データを読取ることにより、当該グループに属する複数の商品データに対応する棚ラベル表示データを一度に応答受信かつ１つの棚ラベルに一覧表示させることができる。
【００２３】
したがって、複数商品についての対応性を一段と迅速に行えかつ棚ラベルの総数を減らせるのでコスト低減ができる。
【００２４】
さらに、棚ラベル表示ユニットは、上位機から受信した店舗情報（例えば、特売商品のお知らせ、当該商品の調理法等）を、応答棚ラベル表示データ（商品名，価格等）と干渉することなく当該棚ラベルに表示することができる。したがって、さらに棚ラベルの利用性を高められる。
【００２５】
さらにまた、ある棚ラベルの棚ラベル表示データを当該商品に対応するものに変更する場合には、ターミナルからスキャナを取外し、当該スキャナを当該棚ラベル表示ユニットに接続する。そして、このスキャナを用いて当該商品コードを読取り入力することができる。
【００２６】
したがって、さらに各棚ラベル表示ユニットに商品データ読取手段を常設しておかなくてもよいから低コストであり、かつ不使用時に商品データ読取手段を取外しておけるから客による悪戯も防止できる。
【００２７】
また、請求項２の発明は、前記読取商品用棚ラベル表示制御手段が前記棚ラベルに一覧表示された複数の応答棚ラベル表示データをスクロール表示可能に形成された商品販売データ処理システムである。
【００２８】
かかる発明では、棚ラベルに一覧表示された複数の応答棚ラベル表示データについて、スクロール操作すると、読取商品用棚ラベル表示制御手段が、棚ラベル表示データをスクロール表示する。スクロール操作を止めると、当該時点の複数棚ラベル表示データが一覧表示される。したがって、請求項１の発明の場合と同様な作用効果を奏することができることに加え、さらに１つの棚ラベルにより多くの棚ラベル表示データを表示することができる。
【００２９】
【発明の実施の形態】
以下、本発明の実施形態について図面を参照して説明する。
【００３０】
（第１の実施形態）
本商品販売データ処理システムは、図１に示す如く、上位機（５０）と複数のターミナル６０Ａ〜６０Ｎと複数の棚ラベル表示ユニット２０Ａ〜２０Ｎとから形成され、かつ上位機（５０）の負荷軽減および棚ラベル表示適応性拡大のために棚ラベル表示コントローラー１０を設けた構成とされている。
【００３１】
詳しくは、上位機（５０）側に、棚ラベル表示データ記憶手段（５３Ｆ）と，問合受信制御手段（５１，５２）と，抽出制御手段（５１，５２）と，応答送信制御手段（５１，５２）とを設け、かつ棚ラベル表示ユニット２０側に商品データ読取手段（２８）と，問合送信制御手段（２２，２３）と，応答棚ラベル表示データ記憶手段（２４Ｍ）と，読取商品用棚ラベル表示制御手段（２２，２３）とを設け、陳列棚１００において商品データ読取手段（２８）を用い陳列商品から商品データ（商品コード）を読取るだけで当該棚ラベル３０に当該応答棚ラベル表示データ（商品名および価格）を表示可能に形成されている。
【００３２】
図１において、上位機を形成するストアコントローラー５０は、ＣＰＵ５１，ＲＯＭ５２，ＲＡＭ５３（商品ファイル５３Ｆ），通信回路５４，キーボード５６，表示器５７，通信回路５５等を含み、データ通信回線５８で接続された各ターミナル（電子キャッシュレジスタ）６０Ａ〜６０Ｎを一括管理する。
【００３３】
このストアコントローラー５０は、各ターミナル６０からの商品コードを指定した問合せに対して図２に示す商品ファイル５３Ｆを検索し、当該商品データ（商品名，価格等）を応答する。また、各ターミナル６０から売上データを回収して各種レポート等を作成する。
【００３４】
この商品ファイル５３Ｆが棚ラベル表示データ記憶手段を形成しかつ当該各プログラムを格納したＲＯＭ５２およびＣＰＵ５１が問合受信制御手段（５１，５２），抽出制御手段（５１，５２）および応答送信制御手段（５１，５２）を形成する。この第１の実施形態では、ストアコントローラー５０は各棚ラベル表示ユニット２０Ａ〜２０Ｎに対しては間接的に働き、直接的には棚ラベル表示コントローラー１０が肩代わりして働くものとされている。
【００３５】
したがって、ストアコントローラー５０は、送信指令（図６のＳＴ５０でＹＥＳ）があると、抽出制御手段（ＣＰＵ５１，ＲＯＭ５２）が商品ファイル５３Ｆから棚ラベル表示データを抽出（ＳＴ５１）し、抽出した棚ラベル表示データを棚ラベル表示コントローラー１０側へ送信（ＳＴ５３）する。
【００３６】
この実施形態では、ストアコントローラー５０側で更新（ＳＴ５２のＹＥＳ）された棚ラベル表示データについては、棚ラベル表示コントローラー１０側へ自動的に送信される（ＳＴ５３）。
【００３７】
また、初期画面（および店舗情報）の送信指令（ＳＴ５４のＹＥＳ）があれば、初期画面（および店舗情報）を棚ラベル表示コントローラー１０側へ送信（ＳＴ５５）する。初期画面としては、例えば“毎度有難うございます”や“何日から消費税還元セール”等である。また、店舗情報としては、主に、各商品と関係する例えば“本日の特売商品です”や“調理方法”等である。
【００３８】
また、各ターミナル６０Ａ〜６０Ｎは、いずれも図示省略したキーボード，スキャナ６８，表示器，プリンタ，ドロワ等を含み、商品登録機能，会計処理機能等を実行可能な電子キャッシュレジスタから形成されている。
【００３９】
各ターミナル６０は、スキャナ６８を用いて商品に付されたコード（例えば、バーコード）を用いて当該商品データ（商品コード）を読取り、ストアコントローラー５０に問合せ、当該商品データ（商品名，価格等）を取得しかつ当該商品データを利用して商品登録を行う。登録商品についての会計処理も行える。
【００４０】
ここに、棚ラベル表示コントローラー１０は、図１に示すＣＰＵ１１，ＲＯＭ１２，ＲＡＭ１３，通信回路１４，入力装置１６，表示器１７，送信回路１５（データ送信機１５Ａ）を含み、実質的に上位機（５０）の一部を構成しかつ応答棚ラベル表示に関する記憶・問合受信・抽出・応答送信機能を各棚ラベル表示ユニット２０Ａ〜２０Ｎに対して代行する。
【００４１】
すなわち、棚ラベル表示コントローラー１０は、通信回路１４，データ通信回線１９を介してストアコントローラー５０からデータ（棚ラベル表示データ，初期画面，店舗情報）を受信（図５のＳＴ４７）してＲＡＭ１３内の棚ラベル表示データ記憶手段１３Ｍに記憶する（ＳＴ４８）。
【００４２】
つまり、棚ラベル表示データに関しては、ストアコントローラー５０の商品ファイル５３Ｆに設定記憶された商品データ（商品コード，商品名，価格，サイズ，色合い等）のうち棚ラベル３０に表示する棚ラベル表示データ（この実施形態では、商品コード，商品名および価格）のみを棚ラベル表示コントローラー１０へ送信（図６のＳＴ５３）しかつ棚ラベル表示データ記憶手段１３Ｍに記憶させることができるから、ストアコントローラー５０と各棚ラベル表示ユニット２０とのデータ送受信を簡素化かつ迅速化できるわけである。
【００４３】
なお、入力装置（キーボード）１６を用いて各棚ラベル表示ユニット２０Ａ〜２０Ｎごとの棚ラベル表示データ（商品名，価格等）を補完作成することができる。
【００４４】
棚ラベル表示コントローラー１０側に設けられた問合受信制御手段は、棚ラベル表示ユニット２０側から問合送信されて来た特定商品データを受信する手段で、問合受信制御プログラムを格納させたＲＯＭ１２とＣＰＵ１１とから形成され図５のＳＴ４０で実行される。
【００４５】
また、抽出制御手段（ＣＰＵ１１，ＲＯＭ１２）は、棚ラベル表示データ記憶手段１３Ｍを検索（ＳＴ４１）し、それに記憶されている棚ラベル表示データを抽出（ＳＴ４２）する。すると、応答送信制御手段（ＣＰＵ１１，ＲＯＭ１２）が、抽出された棚ラベル表示データを当該棚ラベル表示ユニット２０へ応答送信する（ＳＴ４３）。
【００４６】
また、初期画面（および店舗情報）の送信要求があった場合（ＳＴ４４のＹＥＳ）は、棚ラベル表示データ記憶手段１３Ｍを検索（ＳＴ４５）しつつ初期画面（および店舗情報）を各棚ラベル表示ユニット２０Ａ〜２０Ｎへ送信する（ＳＴ４６）。
【００４７】
次に、各棚ラベル表示ユニット２０Ａ〜２０Ｎは、図１に示す制御部２１と棚ラベル３０とから構成され、図８に示す陳列棚１００に装着固定可能である。
【００４８】
制御部２１は、ＣＰＵ２２，ＲＯＭ２３，ＲＡＭ２４，受信回路２５（データ受信機２５Ａ），表示制御回路２６，タッチパネル２７，スキャナ２８等を含み、棚ラベル表示コントローラー１０（上位機）から受信した応答棚ラベル表示データ等を棚ラベル３０に表示制御可能に形成されている。タッチパネル２７は図７，図８に示す如く棚ラベル（液晶表示部）３０と一体的に組込まれている。
【００４９】
スキャナ２８は、例えば図８に示す陳列棚１００に陳列される商品（例えば、“商品Ａ”）に付されたコード（バーコード等）から当該商品の商品データ（商品コード）を読取る商品データ読取手段を形成する。
【００５０】
この実施形態では、各ターミナル６０の商品登録用商品データを読取入力するためのスキャナ６８が当該各ターミナル６０に着脱可能とされ、このスキャナ６８を取外して図７，図８に示すように棚ラベル表示ユニット２０（制御部２１）にコネクタ２１Ｔを介して装着可能に形成されている。つまり、スキャナ６８と商品データ読取手段（スキャナ２８）とを兼用可能に形成してある。
【００５１】
問合送信制御手段（ＣＰＵ２２，ＲＯＭ２３）は、スキャナ２８で読取った商品データを特定商品データとして上位機側（棚ラベル表示コントローラー１０）へ問合送信する（図３のＳＴ１０でＹＥＳ，ＳＴ１１）。
【００５２】
応答棚ラベル表示データ記憶制御手段（ＣＰＵ２２，ＲＯＭ２３）は、商品データの問合送信に応えて上位機側（棚ラベル表示コントローラー１０）から応答受信（ＳＴ１２のＹＥＳ）した応答棚ラベル表示データを応答棚ラベル表示データ記憶手段２４Ｍに記憶（ＳＴ１３）する。初期画面（および店舗情報）についても同様である（ＳＴ１４のＹＥＳ，ＳＴ１５）。
【００５３】
なお、応答棚ラベル表示データ記憶手段２４Ｍは、棚ラベル表示データ記憶手段１３Ｍ（５３Ｆ）の場合と同様に、複数の応答棚ラベル表示データを記憶可能である。
【００５４】
読取商品用棚ラベル表示制御手段（ＣＰＵ２２，ＲＯＭ２３）は、この応答棚ラベル表示データ記憶手段２４Ｍに記憶さている応答棚ラベル表示データを当該棚ラベル３０に表示する（ＳＴ１８，ＳＴ２２，ＳＴ２４）。
【００５５】
すなわち、読取商品用棚ラベル表示制御手段（２２，２３）は、表示指令（ＳＴ１６のＹＥＳ）があると、応答棚ラベル表示データ記憶手段２４Ｍに記憶されている複数の応答棚ラベル表示データを当該棚ラベル３０に図７に示すように一覧表示（ＳＴ１８）させることができる。
【００５６】
応答棚ラベル表示データ記憶手段２４Ｍに複数の応答棚ラベル表示データが記憶されている場合に、一覧表示要求が成されたものと判別（ＳＴ１８のＹＥＳ）される。１つの応答棚ラベル表示データが記憶されている場合（ＳＴ１８のＮＯ）は、当該応答棚ラベル表示データのみが表示（ＳＴ２４）される。
【００５７】
また、読取商品用棚ラベル表示制御手段（２２，２３）は、棚ラベル３０に一覧表示された複数の応答棚ラベル表示データをスクロール表示することができる。この実施形態では、図１，図７に示すタッチパネル２７上のスクロールキー２７ＳＩをタッチ操作（ＳＴ２１のＹＥＳ）することにより、表示スクロール（ＳＴ２０）する。
【００５８】
つまり、図７に示す状態で上方側スクロールキー２７ＳＩをタッチ操作すると、商品Ａが上方に移動して画面から消えかつ下方から商品Ｆが移動してくる。一定画面表示領域の棚ラベル３０に多数の応答棚ラベル表示データを表示することができると理解される。
【００５９】
さらに、読取商品用棚ラベル表示制御手段（２２，２３）は、選択された応答棚ラベル表示データのみを当該棚ラベル３０に表示切換可能に形成されている（ＳＴ１９のＹＥＳ，ＳＴ２２，ＳＴ２３のＮＯ）。
【００６０】
この実施形態では、図７に示す選択手段を形成するカーソルキー２７Ｃをタッチ操作（選択操作）すること（ＳＴ１９のＹＥＳ）によりカーソル（四角フレーム）２７ＣＦを上下動させ、カーソル２７ＣＦが止まったところでエンターキー（ＥＮＴ）２７Ｓをタッチ操作することにより、当該棚ラベル表示データ（例えば、商品Ａ  ２８０円）を選択することができる。
【００６１】
図７の場合は、商品Ａを選択しかつしかる後に商品Ｃを選択した場合を示す。ここで、エンターキー２７Ｓをタッチ操作して確定操作すると、棚ラベル３０には選択された商品Ａおよび商品Ｃのみが表示される。つまり、図８の左側に示す棚ラベル３０に陳列棚１００に陳列された商品Ａおよび商品Ｃの応答棚ラベル表示データ（商品Ａ  ２８０円，商品Ｃ  ６５０円）を表示させることができるわけである。なお、この際、他の商品Ｂ，Ｄ，Ｅ等は、当該棚ラベル３０において表示消滅される。
【００６２】
読取商品用棚ラベル表示制御手段（２２，２３）は、さらに、店舗情報（例えば、図７の“本日の特売商品です”）を応答棚ラベル表示データ（例えば、商品Ｃ  ６５０円）と干渉することなく、棚ラベル３０に表示することができる（図４のＳＴ２５のＹＥＳ，ＳＴ２６のＹＥＳ，ＳＴ２７）。また、初期画面も表示可能である（ＳＴ２８のＹＥＳ，ＳＴ２９）。
【００６３】
次に、この実施形態の作用・動作を説明する。図８に示す陳列棚１００において、陳列された商品（例えば、“商品Ａ”）を特定する。つまり、図７に示す商品データ読取手段（２８）を用いて、当該商品に付されたコード（バーコード等）から商品データ（商品コード）を読取る（図３のＳＴ１０でＹＥＳ）。
【００６４】
すると、当該棚ラベル表示ユニット２０側の問合送信制御手段（２２，２３）が、読取られた商品データを特定商品データとして上位機（５０）の一部である棚ラベル表示コントローラー１０側へ問合送信する（ＳＴ１１）。
【００６５】
この棚ラベル表示コントローラー１０側では、問合受信制御手段（１１，１２）が棚ラベル表示ユニット２０側から問合送信されて来た商品データ（特定商品データ）を受信する（図５のＳＴ４０でＹＥＳ）する。
【００６６】
すると、抽出制御手段（１１，１２）が、棚ラベル表示データ記憶手段１３Ｍを検索（ＳＴ４１）しそれに記憶された棚ラベル表示データの中から、問合受信した特定商品データに対応する棚ラベル表示データ（例えば、図７の“商品Ａ２８０円”）を抽出（ＳＴ４２）する。抽出された棚ラベル表示データは、応答送信制御手段（１１，１２）によって、問合元である棚ラベル表示ユニット２０へ応答棚ラベル表示データとして応答送信（ＳＴ４３）される。
【００６７】
当該棚ラベル表示ユニット２０では、棚ラベル表示コントローラー１０（上位機）から応答受信（図３のＳＴ１２でＹＥＳ）した応答棚ラベル表示データを応答棚ラベル表示データ記憶手段２４Ｍに記憶する（ＳＴ１３）。
【００６８】
ここに、読取商品用棚ラベル表示制御手段（２２，２３）は、記憶された応答棚ラベル表示データを当該棚ラベル３０に表示する（ＳＴ２４）。したがって、陳列商品（商品Ａ）に対応する棚ラベル表示データ（商品Ａ  ２８０円）と当該棚ラベル３０との対応性を正確かつ迅速に行えかつ陳列棚１００において陳列商品から商品データ読取手段（スキャナ２８）を用いて当該商品データを読取るだけでよいから作業が極めて簡単である。
【００６９】
また、読取商品用棚ラベル表示制御手段（２２，２３）は、応答棚ラベル表示データ記憶手段２４Ｍに記憶されている複数の応答棚ラベル表示データを当該棚ラベルに一覧表示（図３のＳＴ１８）することができる。
【００７０】
すなわち、陳列棚１００に陳列される複数商品（例えば、図７に示す商品Ａ，商品Ｂ，商品Ｃ，商品Ｄ，商品Ｅ）は同種商品（例えば、果物）とされる場合がほとんどであるから、複数の当該商品データを例えばグループ化しておき、その内の１の商品データを読取る（ＳＴ１０のＹＥＳ）ことができるように形成し、さらに、当該グループに属する複数の商品データに対応する棚ラベル表示データ（例えば、図７に示す商品Ａ  ２８０円，商品Ｂ  １３００円，商品Ｃ  ６５０円，商品Ｄ  １２０円，商品Ｅ  ３６０円）を一度に応答受信（ＳＴ１２のＹＥＳ）可能かつ１つの棚ラベル３０に一覧表示可能に形成されている。
【００７１】
したがって、複数商品についての対応性（陳列商品の棚ラベル表示データと当該棚ラベルとの整合性）を一段と迅速に行え、かつ一定数の陳列棚１００に対する棚ラベル３０の総数を減らせるから一段とコスト低減ができる。
【００７２】
また、棚ラベル３０に一覧表示された複数の応答棚ラベル表示データについて、スクロールキー２７ＳＩを用いてタッチ操作（スクロール操作）する（ＳＴ２１のＹＥＳ）と、読取商品用棚ラベル表示制御手段（２２，２３）が、応答棚ラベル表示データをスクロール表示する（ＳＴ２０）。スクロール操作を止めると、当該時点の複数の応答棚ラベル表示データをその画面上に一覧表示できる（ＳＴ１８）。したがって、１つの棚ラベル３０に、より多くの応答棚ラベル表示データを表示できる。
【００７３】
さらに、選択手段（カーソルキー２７Ｃおよびエンターキー２７Ｓ）を用いて棚ラベル３０に一覧表示された応答棚ラベル表示データの中の１または２以上を選択する（ＳＴ１９のＹＥＳ）と、読取商品用棚ラベル表示制御手段（２２，２３）が、選択された応答棚ラベル表示データのみを当該棚ラベル３０に表示切換（ＳＴ２２）する。
【００７４】
つまり、一度の読取り操作（ＳＴ１０のＹＥＳ）で多くの棚ラベル表示データを送受信（ＳＴ１２のＹＥＳ）できかつ当該陳列棚１００に陳列された商品に対応する応答棚ラベル表示データのみを選択表示することができるから、陳列棚１００に陳列された当該各商品について、より正確かつ迅速な表示ができる。
【００７５】
さらに、棚ラベル表示ユニット２０は、上位機（１０）から受信した店舗情報（例えば、特売商品のお知らせ、当該商品の調理法等）を、応答棚ラベル表示データ（商品名，価格等）と干渉することなく当該棚ラベル３０に表示することができるから、棚ラベル３０の利用性を一段と高められる。
【００７６】
さらにまた、ある棚ラベル３０の棚ラベル表示データを当該陳列棚１００に陳列された商品に対応するものに変更する場合には、ターミナル６０からスキャナ６８を取外し、当該スキャナ６８を当該棚ラベル表示ユニット２０（２１）に接続する。開店前等においては、商品登録しないので支障がない。
【００７７】
そして、このスキャナ６８を商品データ読取手段として用い、当該商品コードを読取り入力することができる。したがって、各棚ラベル表示ユニット２０に商品データ読取手段（２８）を常設しておかなくてもよいから低コストで具現化でき、かつ不使用時に取外せるから客による悪戯も防止できる。
【００７８】
なお、上位機（５０）の棚ラベル表示機能を代行する棚ラベル表示コントローラー１０を設けかつこの棚ラベル表示コントローラー１０で各棚ラベル表示ユニット２０をコントロール可能に形成されているので、ストアコントローラー５０の負荷を大幅に軽減できる。つまり各ターミナル６０の商品登録および会計処理を迅速かつ円滑に行える。
【００７９】
（第２の実施形態）
この第２の実施形態は、図８に示す如く、第１の実施形態の場合における棚ラベル表示コントローラー１０を省略し、上位機（ストアコントローラー５０）と各棚ラベル表示ユニット２０とをデータ通信回線１９および無線通信機１７を介して直接にデータ通信可能に接続したものである。
【００８０】
したがって、第１の実施形態の場合と同様な作用効果を奏し得るとともに、ターミナル６０や棚ラベル３０の数が少ない小規模店舗に好適で、コストをより低減できる。
【００８１】
なお、以上の各実施形態では、スクロールキー２７，選択手段（２７Ｃ，２７Ｓ）をタッチ操作方式としたが、これに限定されない。例えば押圧キー等である。但し、各実施形態のように構築すると、操作性が向上する。
【００８２】
【発明の効果】
請求項１の発明によれば、上位機に棚ラベル表示データ記憶手段と，問合受信制御手段と，抽出制御手段と，応答送信制御手段とを設け、かつ棚ラベル表示ユニット側に商品データ読取手段と，問合送信制御手段と，応答棚ラベル表示データ記憶手段と，読取商品用棚ラベル表示制御手段とを設け、商品データ読取手段を用いて商品データを読取るだけで当該棚ラベルに当該陳列棚に陳列された商品名，価格等を表示可能に形成された商品販売データ処理システムであるから、請求項１の発明の場合と同様に、陳列商品に対応する棚ラベル表示データと当該棚ラベルとの対応性を正確かつ迅速に行え、かつ陳列棚において陳列商品から商品データ読取手段（例えば、スキャナ）を用いて当該商品データを読取るだけでよいから作業が極めて簡単である。
【００８３】
また、読取商品用棚ラベル表示制御手段が応答棚ラベル表示データ記憶手段に記憶されている複数の応答棚ラベル表示データを当該棚ラベルに一覧表示可能に形成されているので、請求項２の発明の場合と同様な効果を奏することができることに加え、さらに複数商品についての対応性を一段と迅速に行えかつ棚ラベルの総数を減らせるのでコスト低減ができる。
【００８４】
さらに、上位機が棚ラベル表示ユニットに店舗情報も送信可能かつ棚ラベル表示ユニットが店舗情報を応答棚ラベル表示データと干渉することなく当該棚ラベルに表示可能に形成されているので、棚ラベルの利用性を高められる。
【００８５】
さらにまた、商品データ読取手段がターミナルの商品登録用商品データを読取入力するためのスキャナを兼用可能に形成されているので、各棚ラベル表示ユニットに商品データ読取手段を常設しておかなくてもよいから低コストであり、かつ商品データ読取手段を不使用時に取外しておくことができるから、客による悪戯も防止できる。
【００８６】
また、請求項２の発明によれば、読取商品用棚ラベル表示制御手段が棚ラベルに一覧表示された複数の応答棚ラベル表示データをスクロール表示可能に形成されているので、請求項１の発明の場合と同様な効果を奏することができることに加え、さらに１つの棚ラベルにより多くの棚ラベル表示データを表示することができる。
【図面の簡単な説明】
【図１】  本発明の第１の実施形態を示す全体構成図である。
【図２】  同じく、棚ラベル表示データ記憶手段を説明するための図である。
【図３】  同じく、棚ラベル表示ユニット側の動作を説明するためのフローチャート（１）である。
【図４】  同じく、棚ラベル表示ユニット側の動作を説明するためのフローチャート（２）である。
【図５】  同じく、棚ラベル表示コントローラー側の動作を説明するためのフローチャートである。
【図６】  同じく、ストアコントローラー側の動作を説明するためのフローチャートである。
【図７】  同じく、棚ラベルと表示形態例とを説明するための図である。
【図８】  本発明の第２の実施形態を説明するための図である。
【符号の説明】
１０  棚ラベル表示コントローラー（上位機）
１１  ＣＰＵ（問合受信制御手段，抽出制御手段，応答送信制御手段）
１２  ＲＯＭ（問合受信制御手段，抽出制御手段，応答送信制御手段）
１３  ＲＡＭ
１３Ｍ  棚ラベル表示データ記憶手段
２０Ａ〜２０Ｎ  棚ラベル表示ユニット
２１  制御部
２２  ＣＰＵ（問合送信制御手段，読取商品用棚ラベル表示制御手段）
２３  ＲＯＭ（問合送信制御手段，読取商品用棚ラベル表示制御手段）
２４  ＲＡＭ
２４Ｍ  応答棚ラベル表示データ記憶手段
２７  タッチパネル
２７ＳＩ  スクロールキー
２７Ｃ  カーソルキー（選択手段）
２７Ｓ  エンターキー（選択手段）
２７ＣＦ  カーソル
２８  スキャナ（商品データ読取手段）
３０  棚ラベル
５０  ストアコントローラー（上位機）
５１  ＣＰＵ（問合受信制御手段，抽出制御手段，応答送信制御手段）
５２  ＲＯＭ（問合受信制御手段，抽出制御手段，応答送信制御手段）
５３  ＲＡＭ
５３Ｆ  商品ファイル（棚ラベル表示データ記憶手段）
６０Ａ〜６０Ｎ  ターミナル
６８  スキャナ（商品データ読取手段）
１００  陳列棚
【図１】
0003830687.tif 000002
【図２】
0003830687.tif 000003
【図３】
0003830687.tif 000004
【図４】
0003830687.tif 000005
【図５】
0003830687.tif 000006
【図６】
0003830687.tif 000007
【図７】
0003830687.tif 000008
【図８】
0003830687.tif 000009